(57)【要約】【課題】本考案は、容易に挿入される導電端子を有する電気コネクタを提供することを目的とする。【解決手段】本考案の電気コネクタ１００は、複数の端子通道１０４が形成される絶縁性本体１と、前記絶縁性本体１に挿入される複数の導電端子２とを備える。前記各導電端子２が接触部２０１と、前記端子通道１０４に固持される固持部２０２と、後端部２１とを有する。前記導電端子２の後端部２１が傾斜部２３０と半田接続部２３１とを有する。複数の導電端子２の半田接続部２３１の間の距離が前記傾斜部２３０の傾斜によって前記接触部２０１の間の距離より大きい。前記導電端子２の傾斜部２３０と固持部２０２とは異なる平面に配置される。【選択図】図２
0003156761.tif 000002
【実用新案登録請求の範囲】
【請求項１】
複数の端子通道が形成される絶縁性本体と、
前記絶縁性本体に挿入される複数の導電端子と、
を備え、
前記各導電端子が、接触部と、前記端子通道に固持される固持部と、後端部と、を有し、
前記導電端子の後端部が、傾斜部と、半田接続部と、を有し、
複数の前記導電端子の半田接続部の間の距離が、前記傾斜部の傾斜によって、前記接触部の間の距離より大きく、
前記導電端子の傾斜部と前記固持部とは異なる平面に配置されることを特徴とする電気コネクタ。
【請求項２】
前記導電端子の固持部と接触部とは面一になるとともに、前記固持部には前記端子通道に係合する複数の凸状部片が設けられることを特徴とする請求項１に記載の電気コネクタ。
【請求項３】
前記導電端子の後端部が前記固持部から折曲する連接部と尾部とを有し、前記半田接続部が前記尾部に設けられ、前記導電端子の固持部と半田接続部とは前記連接部の折曲によって異なる平面に配置されることを特徴とする請求項２に記載の電気コネクタ。
【請求項４】
前記導電端子の傾斜部が前記尾部に設けられることを特徴とする請求項３に記載の電気コネクタ。
【請求項５】
前記導電端子の傾斜部が前記連接部に設けられることを特徴とする請求項３に記載の電気コネクタ。
【請求項６】
前記導電端子の連接部は二列に配置され、一方の列の前記導電端子の連接部が、他方の列の前記導電端子から離れる方向に向かって折り曲げられることを特徴とする請求項３に記載の電気コネクタ。
【請求項７】
前記絶縁性本体は、基部と前記基部から延在する舌板とを有し、前記端子通道が前記基部に形成され、前記舌板には前記端子通道に貫通する複数の端子溝が形成され、前記導電端子の接触部が平板状に形成されるとともに前記舌板の端子溝に挿入されて露出されることを特徴とする請求項１に記載の電気コネクタ。
【請求項８】
前記絶縁性本体の舌板の端子溝が前記舌板の対向する二つの表面に形成され、前記導電端子は前記二つの表面の端子溝にそれぞれ挿入される二つのグループの前記導電端子を有することを特徴とする請求項７に記載の電気コネクタ。
【考案の詳細な説明】
【技術分野】
【０００１】
本考案は、電気コネクタに関し、特に、容易に挿入される導電端子を具備する電気コネクタに関するものである。
【背景技術】
【０００２】
従来技術の電気コネクタは、絶縁性本体と、絶縁性本体に挿入される複数の導電端子とを備える。前記絶縁性本体には複数の端子孔が形成される。各導電端子は、絶縁性本体の端子孔に挿入される第１部分と、第１部分から垂直に延在して前記絶縁性本体の端子孔から伸出する第２部分とを有する。前記導電端子の第１部分は、絶縁性本体に固持される固持部と、両側に向かって傾斜する傾斜部とを有する。前記導電端子の第２部分には、回路基板に半田接続される半田接続部が設けられる。前記傾斜部が第１部分に配置される。前記傾斜部と固持部とは面一になる。
【先行技術文献】
【特許文献】
【０００３】
【特許文献１】特開２００７−１１５７０７号公報
【考案の概要】
【０００４】
導電端子を付加部材により端子溝に向けて推し進める時、傾斜部での阻止によって、導電端子を推し進めにくい。
【考案が解決しようとする課題】
【０００５】
そこで本考案は、上述される従来技術の問題に鑑み、容易に挿入される導電端子を有する電気コネクタを提供することを目的とする。
【課題を解決するための手段】
【０００６】
前記目的を達成するために、本考案の電気コネクタは、複数の端子通道が形成される絶縁性本体と、前記絶縁性本体に挿入される複数の導電端子とを備える。各導電端子が接触部と、前記端子通道に固持される固持部と、後端部とを有する。前記導電端子の後端部が傾斜部と半田接続部とを有する。複数の導電端子の半田接続部の間の距離が前記傾斜部の傾斜によって前記接触部の間の距離より大きい。導電端子の傾斜部と固持部とは異なる平面に配置される。
【考案の効果】
【０００７】
従来技術と比べると、本考案は以下の長所を有する。導電端子の傾斜部と固持部とは異なる平面に配置される。これにより、導電端子を付加部材へ推し進めて挿入している過程では、導電端子を、傾斜部での阻止によって、対応する端子通道へ推せないことを防止できる。
【図面の簡単な説明】
【０００８】
【図１】本考案の第１実施状態における電気コネクタの組立図である。
【図２】図１に示す電気コネクタの分解斜視図である。
【図３】図２に示す電気コネクタを別の角度から見た分解斜視図である。
【図４】図２に示す電気コネクタの導電端子の側視図である。
【図５】図２に示す電気コネクタの導電端子の俯瞰図である。
【図６】本考案の第２実施状態における電気コネクタの分解斜視図である。
【図７】図６に示す電気コネクタの導電端子の側視図である。
【図８】図６に示す電気コネクタの導電端子の俯瞰図である。
【図９】図６に示す電気コネクタの導電端子の主視図である。
【考案を実施するための形態】
【０００９】
図１〜図５を参照すると、本考案の第１実施形態における電気コネクタ１００は、絶縁性本体１と、絶縁性本体１に固着される複数の導電端子２と、絶縁性本体１を固持する固定部材３と、絶縁性本体１に覆うハウジング４とを備える。
【００１０】
絶縁性本体１は、基部１０と、基部１０から延在する舌板１１とを備える。基部１０は前端面１０２と、前記前端面１０２と対向する後端面１０３とを含む。基部１０には、後端面１０３から凹まれる凹溝１０３０が形成される。基部１０には、前端面１０３と後端面１０３とに貫通する複数の端子通道１０４が形成される。舌板１１には、上表面１１１と下表面１１２とを含む平板部１１０と、平板部１１０から下向きに延在する一対の側壁１１３とを備える。舌板１１の上表面１１１と下表面１１２には、前記端子通道１０４に貫通する複数の端子溝１１４が形成される。
【００１１】
図４及び図５を参照すると、前記導電端子２は、二つの列に配置される。前記導電端子２は、前端部２０と、後端部２３とを有する。前記導電端子２の前端部２０は、接触部２０１と、固持部２０２とを有する。固持部２０２には複数の凸状部片２０２０が設けられる。後端部２３は連接部２２と、尾部２３とを有する。尾部２３は、連接部２２から両側に向かって傾斜する傾斜部２３０と、傾斜部２３０から延在する半田接続部２３１とを有する。一列に配置される導電端子２の傾斜部２３０には、両側の傾斜部２３０は、中間の傾斜部２３０より、大きい角度で傾斜する。これにより、一列の半田接続部２３１が互いに半田接続されることを防止できる。一列に配置される導電端子２の半田接続部２３１が互いに平行に配置される。導電端子２の連接部２２は、前端部２０から垂直に折り曲げられる。導電端子２の傾斜部２３０と固持部２０２とは、連接部２２の折曲により、平行な二つの平面に配置される。且つ、図４に示すように、各列の導電端子２の連接部２２が、他列の導電端子２から離れる方向に向かって折り曲がれる。これにより、二つの列の導電端子２の半田接続部２３１が互いに半田接続することを防止できる。
【００１２】
図２及び図３に示すように、固定部材３は、前表面３１と後表面３２とを有する。固定部材３には、前表面３１から凹む一対の固定溝３１０が形成される。固定部材３の後表面３２には、前記固定溝３１０に貫通する複数の固定孔３１１が形成される。
【００１３】
ハウジング４は金属材料によってパンチされる。ハウジング４は、頂壁４１と、頂壁４１と対向する底壁４２と、第１、第２側壁４３，４４とを有する。第１側壁４３が傾斜壁４５を含む。ハウジング４が一対の取付脚４７を有する。ハウジング４には、複数の弾力性ビーム４６が設けられる。
【００１４】
図１〜図５に示すように、電気コネクタ１００を組み立てる時、先ず、複数の導電端子２が絶縁性本体１の凹溝１０３０から端子通道１０４に貫通して端子溝１１４に挿入される。導電端子２の固持部２０２は端子通道１０４に固持される。導電端子２の凸状部片２０２０が端子通道１０４と係合する。接触部２０１が舌板１１の端子溝１１４から露出する。導電端子２の連接部２２は、凹溝１０３０に収納される。固定部材３が絶縁性本体１の後端面１０３に取り付けられる。導電端子２の半田接続部２３１が固定部材３の固定孔３１１に固定される。
【００１５】
導電端子２を挿入している過程では、導電端子２の連接部２２が付加部材（図示せず）により推し進められる。これにより、導電端子２を、傾斜部２３０での阻止によって、対応する端子通道１０４へ推せないことを防止できる。絶縁性本体１がハウジング４に装入される。ハウジング４の傾斜壁４５によって、誤装入が防止できる。
【００１６】
図６〜図９を参照すると、本考案の第２実施形態の電気コネクタ１００’は、第１実施形態の電気コネクタ１００と実質的に似ている。第１実施形態の電気コネクタ１００の導電端子２の傾斜部２３０が導電端子２の尾部２３に設けられる。第２実施形態の電気コネクタ１００’の導電端子２’の傾斜部２３０’が導電端子２の連接部２２’に設けられる。これにより、傾斜部２３０’と固持部２０２’とは、異なる平面に配置される。一列に配置される導電端子２’の傾斜部２３０’は、両側の傾斜部２３０’が、中間の傾斜部２３０’より、大きい角度で傾斜する。これにより、一列の半田接続部２３１’が互いに半田接続されることを防止できる。一列に配置される導電端子２’の半田接続部２３１’が互いに平行に配置される。図７に示すように、各列の導電端子２’の連接部２２’が、他列の導電端子２’から離れる方向に向かって折り曲がっている。
【００１７】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００１８】
１００  電気コネクタ
１  絶縁性本体
１０  基部
１０１  収納穴
１０２  前端面
１０３  後端面
１０３０  凹溝
１０４  端子通道
１１  舌板
１１０  平板部
１１１  上表面
１１２  下表面
１１３  側壁
１１４  端子溝
２  導電端子
２０  前端部
２０１  接触部
２０２  固持部
２０２０  凸状部片
２１  後端部
２２  連接部
２３  尾部
２３０  傾斜部
２３１  半田接続部
３  固定部材
３１  前表面
３１０  固定溝
３１１  固定孔
３２  後表面
４  ハウジング
４１  頂壁
４２  底壁
４３  第１側壁
４４  第２側壁
４５  傾斜壁
４６  弾力性ビーム
４７  取付脚
１００’  電気コネクタ
１０４’  端子孔
２’  導電端子
２０２’  固持部
２２’  連接部
２３０’  傾斜部
【図１】
0003156761.tif 000003
【図２】
0003156761.tif 000004
【図３】
0003156761.tif 000005
【図４】
0003156761.tif 000006
【図５】
0003156761.tif 000007
【図６】
0003156761.tif 000008
【図７】
0003156761.tif 000009
【図８】
0003156761.tif 000010
【図９】
0003156761.tif 000011